(57)【要約】【課題】  単一支柱によって形成した外観を呈するように、支柱を連結するとともに支柱間に凹陥した目地を配置した支柱連結目地装置を提供する。【解決手段】  割型一対の連結目地材６、７の基壁６１、７１を支柱２、３の側面にネジ９固定するとともにその重合ネジ止め片６３、７３をネジ９によって固定することによって、支柱２、３の連結を行い、該固定後に他方の連結目地材７に形成した平行突条７４にスナップイン係止によって目地カバー材８を配置する。これによって支柱２、３が一体的に連結され、また一方の連結目地材６の目地片６２と目地カバー材８の目地片８１がこれら支柱２、３間にそれぞれ前後に凹陥した凹陥目地５を形成する。ファンクション門柱と門扉支持用の支柱等の並列配置に好適に使用して、その連結外観を優れたものとすることができる。【選択図】  図２
2010189916.tif 000002
【特許請求の範囲】
【請求項１】
割型一対の連結目地材と目地カバー材とを備え、該割型一対の連結目地材を、基壁と、一方の連結目地材の基壁から突出した前後一方の目地片と、他方の連結目地材の基壁から突出した前後一方の目地重合片と、双方の連結目地材の基壁からそれぞれ突出した重合ネジ止め片と、一方又は双方の連結目地材から突出して前後他方に開口した開口溝を形成した一対の平行突条を備えて形成し、上記目地カバー材を、上記目地片と同幅の前後他方の目地片を備えて形成し、並列配置した一対の支柱の対向側面に上記基壁をネジ止め添設し且つ上記開口溝から重合ネジ止め片をネジ固定して割型一対の連結目地材を一対の支柱間に介設してその連結を行なうとともに上記一対の平行突条に目地カバー材を装着することによって該一対の支柱間に連結目地材と目地カバー材による前後凹陥の凹陥目地を配置してなることを特徴とする支柱連結目地装置。
【請求項２】
上記目地カバー材の装着を、割型一対の連結目地材における一対の平行突条の先端と目地カバー材の目地片の裏面に配置した双方のスナップイン又はスライド係止条の係止によって行ってなることを特徴とする請求項１に記載の支柱連結目地装置。
【請求項３】
上記一対の支柱を、門扉吊支持用の支柱と、該支柱に並列配置したファンクション門柱としてなることを特徴とする請求項１又は２に記載の支柱連結目地装置。
【発明の詳細な説明】
【技術分野】
【０００１】
本発明は、例えば、並列した支柱を連結するとともにこれらの間に目地を形成するように使用する支柱連結目地装置に関する。
【背景技術】
【０００２】
独立して起立使用する門柱として、表札、インターフォン、郵便受け等の機能部品を配置した、いわゆるファンクション門柱が知られており、下記特許文献のものは、例えば現場組み立て用のものとして、連結用の受入溝をそれぞれ配置した一対の起立ポールと、上記受入溝に連結部材を楔状に係合して、起立ポールの背面側からのネジで後方に引寄せるようにして該起立ポール間に配置した、機能部品を有するセンターブロックと、天板及び底板等を備えたものとされ、このとき、該ファンクション門柱は、両開き一方の門扉の支柱を兼ねるように、片側の起立ポールにヒンジ受入溝を配置し、該ヒンジ受入溝にヒンジを嵌合固定して該門扉を吊支持する一方、両開き他方の門扉の支柱はその吊持ち位置に別途に起立配置したものとされている。
【先行技術文献】
【特許文献】
【０００３】
【特許文献１】特開２００１−２４１２７８号公報
【発明の概要】
【発明が解決しようとする課題】
【０００４】
この場合、ファンクション門柱は、その起立ポールにヒンジ受入溝を配置したことによって、両開き一方の門扉の支柱を兼ねて、該門扉との間に空隙が生じたりすることなく、納まりのよい門扉吊支持をなし得るが、なおファンクション門柱には、その後方、即ち敷地側でネジが露出して、外観を損なうものとなる一方、例えば、該ファンクション門柱の横に、上記ヒンジ受入溝を用いることなく、ファンクション門柱の横に規格門扉を設置するようにすると、ファンクション門柱と該規格門扉の支柱とが隣接するように並列することになるところ、これらのファンクション門柱と該支柱はそれぞれ別個の製品乃至その部材とされるのが一般であるから、ファンクション門柱と門扉の支柱は、非連結の独立起立状態で偶々並列配置したものとなって、双方の並列配置に統一性を得られず、また、双方の間に隙間が生じたりする外観となることを避けられず、従って、このように一対の支柱を並列配置するについて、その双方を連結するとともにその連結外観を良好としたものとすることが望まれる。
【０００５】
本発明は係る事情に鑑みてなされたもので、その解決課題とするところは、並列した一対の支柱をネジを露出することなく相互に連結するとともにこれらの間に凹陥した目地を形成することによって、一対の支柱の確実な連結と双方の良好な連結外観を確保し得るようにした支柱連結目地装置を提供するにある。
【課題を解決するための手段】
【０００６】
上記課題に沿って、本発明は、並列配置した一対の支柱間に割型一対の連結目地材を配置するとともに該連結目地材を各支柱にネジ止めするとともに連結目地材同士をネジ固定することによって、これら連結目地材を一体化し且つ連結目地材をネジ固定したネジを目地カバー材によって被覆し、上記連結目地材の目地片によって一対の支柱間の前後一方を、目地カバー材の目地片によって一対の支柱間の前後他方をそれぞれ閉塞することによって、一対の支柱をネジを露出することなく連結するとともにこれらの間に凹陥した目地を形成し、該支柱相互の連結と良好な連結外観を得られるようにしたものであって、即ち、請求項１に記載の発明を、割型一対の連結目地材と目地カバー材とを備え、該割型一対の連結目地材を、基壁と、一方の連結目地材の基壁から突出した前後一方の目地片と、他方の連結目地材の基壁から突出した前後一方の目地重合片と、双方の連結目地材の基壁からそれぞれ突出した重合ネジ止め片と、一方又は双方の連結目地材から突出して前後他方に開口した開口溝を形成した一対の平行突条を備えて形成し、上記目地カバー材を、上記目地片と同幅の前後他方の目地片を備えて形成し、並列配置した一対の支柱の対向側面に上記基壁をネジ止め添設し且つ上記開口溝から重合ネジ止め片をネジ固定して割型一対の連結目地材を一対の支柱間に介設してその連結を行なうとともに上記一対の平行突条に目地カバー材を装着することによって該一対の支柱間に連結目地材と目地カバー材による前後凹陥の凹陥目地を配置してなることを特徴とする支柱連結目地装置としたものである。
【０００７】
請求項２に記載の発明は、上記に加えて、目地カバー材の装着を可及的簡易且つ確実になし得るものとするように、これを、上記目地カバー材の装着を、割型一対の連結目地材における一対の平行突条の先端と目地カバー材の目地片の裏面に配置した双方のスナップイン又はスライド係止条の係止によって行ってなることを特徴とする請求項１に記載の支柱連結目地装置としたものである。
【０００８】
請求項３に記載の発明は、同じく上記に加えて、一対の支柱を好ましい実施形態のものとするように、これを、上記一対の支柱を、門扉吊支持用の支柱と、該支柱に並列配置したファンクション門柱としてなることを特徴とする請求項１又は２に記載の支柱連結目地装置としたものである。
【０００９】
本発明はこれらをそれぞれ発明の要旨として、上記課題解決の手段としたものである。
【発明の効果】
【００１０】
本発明は以上のとおりに構成したから、請求項１に記載の発明は、並列配置した一対の支柱間に割型一対の連結目地材を配置するとともに該連結目地材を各支柱にネジ止めするとともに連結目地材同士をネジ固定することによって、これら連結目地材を一体化し且つ連結目地材をネジ固定したネジを目地カバー材によって被覆し、上記連結目地材の目地片によって一対の支柱間の前後一方を、目地カバー材の目地片によって一対の支柱間の前後他方をそれぞれ閉塞することによって、一対の支柱をネジを露出することなく連結するとともにこれらの間に凹陥した目地を形成し、該支柱相互の連結と良好な連結外観を得られるようにした支柱連結目地装置を提供することができる。
【００１１】
請求項２に記載の発明は、上記に加えて、目地カバー材の装着を可及的簡易且つ確実になし得るものとすることができる。
【００１２】
請求項３に記載の発明は、同じく上記に加えて、一対の支柱を好ましい実施形態のものとすることができる。
【図面の簡単な説明】
【００１３】
【図１】並列配置の支柱を連結した状態の前後一方における正面図である。
【図２】図１の連結状態を示す分解斜視図である。
【図３】図１の縦断面図である。
【図４】図１の横断面図である。
【図５】図３の連結前の状態を示す横断面図である。
【図６】割型一対の連結目地材と目地カバーを分離した状態の横断面図である。
【発明を実施するための形態】
【００１４】
以下図面の例に従って本発明を更に具体的に説明すれば、Ａは、例えば、アルミ押出材を組み合わせて形成した玄関回りの屋外構築物であり、該屋外構築物Ａは、図１に示すように、そのフレームの上枠１長手方向中間位置に上端を固定した地中埋込設置のファンクション門柱２の片側に、同じく上端を上枠１に固定した地中埋込設置の門扉吊持支持用の支柱３を並列配置して、支柱連結目地装置によって相互に連結するとともにこれらの間にそれぞれ前後凹陥の凹陥目地５を形成したものとしてある。
【００１５】
支柱連結目地装置は、割型一対の連結目地材６、７と目地カバー材８とを備え、該割型一対の連結目地材６、７を、基壁６１、７１と、一方の連結目地材６の基壁６１から突出した前後一方の目地片６２と、他方の連結目地材７の基壁７１から突出した前後一方の目地重合片７２と、双方の連結目地材６、７の基壁６１、７１からそれぞれ突出した重合ネジ止め片６３、７３と、一方又は双方、本例にあっては一方の連結目地材７から突出して前後他方に開口した開口溝７６を形成した一対の平行突条７４を備えて形成し、上記目地カバー材８を、上記目地片６２と同幅の前後他方の目地片８１を備えて形成し、並列配置した一対の支柱、本例にあっては上記ファンクション門柱２と門扉吊持支持用の支柱３の対向側面に上記基壁６１、７１をネジ止め添設し且つ上記開口溝７６から重合ネジ止め片６３、７３をネジ９固定して割型一対の連結目地材６、７を該一対の支柱２、３間に介設してその連結を行なうとともに上記一対の平行突条７４に目地カバー材８を装着することによって該一対の支柱２、３間に連結目地材６、７と目地カバー材８による前後凹陥の上記凹陥目地５を配置したものとしてある。
【００１６】
割型一対の連結目地材６、７は、例えばアルミ押出材を所定長さに切断加工して、その割型一方の連結目地材６を、上記基壁６１と、目地片６２と、一方の重合ネジ止め片６３とを備え、割型他方の連結目地材７を、同じく上記基壁７１と、目地重合片７２と、他方の重合ネジ止め片７３と、一対の平行突条７４とをそれぞれ備えて一体成形し、本例にあっては上記支柱、即ち、ファンクション門柱２、門扉吊持支持用の門柱３と上端を合せて配置し、その下端乃至その近傍に至る長さを有する長尺のものとしてある。
【００１７】
このとき上記割型一方の連結目地材６の上記目地片６２の裏面には、割型他方の連結目地材７の目地重合片７２を受入れる目地重合片先端の受入溝６４を備えるとともにその重合ネジ止め片６３の裏面に肉盛りしてネジ固定を確実にする厚肉ネジ受部６５を配置したものとしてある。
【００１８】
また上記割型他方の連結目地材７の一対の平行突条７４は、これをその重合ネジ止め片７３の幅方向両端から連結目地材６、７双方の基壁６１、７１を前後他方に向けて延設するように突出し且つその先端にスナップイン係止条乃至スライド係止条、本例にあってはスナップイン係止条７５を配置したものとしてあり、該スナップイン係止条７５は、スナップイン係止手段一方の係止条として、本例にあって対向方向に突設配置した突条によるものとしてある。
【００１９】
従って、本例にあって上記割型一方の連結目地材６は、基壁６１と、目地片６２と、該目地片６２より僅かに短寸の重合ネジ止め片７３とによって、その断面形状がコ字状を呈するものとしてあり、また、割型他方の連結目地材７は、基壁７１と、上記目地片６２より僅かに又は幾分短寸の目地重合片７２と、重合ネジ止め片７３とによって、その断面形状を、上記割型一方の連結目地材６と開口の向きを逆とした同様なコ字状を呈するものとし且つその交差方向に上記開口溝７６を平行に画する上記一対の平行突条７４を配置したものとしてある。
【００２０】
目地カバー材８は、例えば、同じくアルミ押出材を所定長さに切断加工して、割型一方の連結目地材６の目地片６２と同幅とした上記目地片８１と、該目地片８１の幅方向両端部から突出した、上記連結目地材７のスナップイン係止条７５に係止する、スナップイン係止手段他方のスナップイン係止条８３として、本例にあって目地片８１の裏面から突出した一対の脚条８２の断面形状をく字状とすることによってその溝条を配置した、上記連結目地材６、７と同長の長尺のものとしてある。
【００２１】
本例にあって該割型一対の連結目地材６、７は、その一方の目地片６２の幅を、例えば１〜３ｃｍ程度、本例にあっては約１．５ｃｍ、前後奥行幅を、特に割型他方の連結目地材７の前後の長さを、例えば５〜８ｃｍ、本例にあっては約６ｃｍとし、また目地カバー材８は、その目地片８１を、上記連結目地材６の目地片６２と同幅の約１．５ｃｍとし、その脚条８２の突出長さを短寸の１ｃｍ程度以下としてある。
【００２２】
従って、上記ファンクション門柱２と門扉吊持支持用の支柱３は、例えば１０ｃｍ程度としてあるから、並列したこれらの間の前後中間位置に割型一対の連結目地材６、７と目地カバー材８を介設することにより、ファンクション門柱２と門扉吊持支持用の支柱３間には、これらの間に１〜３ｃｍ程度の幅にして、前後面から片側１以下から２ｃｍ程度前後方向にそれぞれ凹陥した上下に一連に目地溝をなす凹陥目地５を形成して、これら２者を一体的に連結することができる。
【００２３】
即ち、割型一対の連結目地材６、７と目地カバー材８、本例にあっては二対の連結目地材６、７と２本の目地カバー材８による各一対の支柱２、３連結及びその間の凹陥目地５の配置は、各一対の支柱、本例にあってはファンクション門柱２と門扉吊持支持用の支柱３のそれぞれ対向する側面に連結目地材６、７の基壁６１、７１を、該基壁６１、７１側から、例えば長手方向に複数個所ネジ９止めして、該各連結目地材６、７を対向する側面に添設し、目地片６２の裏面に目地重合片７２を配置して目地片６２裏面の受入溝６４に該目地重合片７２を受入れるとともに重合ネジ止め片６３、７３を重合するように、各割型一対の連結目地材６、７を合体し、その重合した重合ネジ止め片６３、７３に対して、一対の平行突条７４間の開口溝７６からネジ９を螺入して、これら割型一対の連結目地材６、７をそれぞれネジ９固定し、その後に各一対の平行突条７４に対して目地カバー材８をそれぞれスナップイン係止すればよい。このとき、本例にあってこれらの支柱２、３は、玄関周りの屋外構築物Ａの構成要素として、その並列した状態で下端を地中に埋込設置し且つ上枠１に固定した構造のものとしてあるから、割型一対の連結目地材６、７又はこれと目地カバー材８をこれらの支柱２、３に介設した状態として、該地中への埋込設置と上枠１への固定を行なうようにするか、例えば支持金具１３ａ、１３ｂの形状によって、上枠１への固定手順が規制されるときは、一方を上枠１に固定した後に、双方の目地連結材６、７を合体してネジ９止めし、他方を連結して、該他方を上枠１に固定するようにすればよい。
【００２４】
本例の支柱連結目地装置にあって、上記割型一対の連結目地材６、７によって、その各基壁６１、７１を支柱２、３の側面に固定し得るようにしたこと、重合ネジ止め片６３、７３を、一対の平行突条７４間の開口溝７６からのネジ９で固定し、該一対の平行突条７４に目地カバー材８を配置したこと、割型一方の連結目地材６に配置した目地片６２と目地カバー材８の目地片８１を、支柱２、３間の間隔に合せて同幅としたこと、割型他方の連結目地材７に対する目地カバー材８の装着を、その裏面においてスナップイン係止するものとしたことによって、一対の支柱、即ち、ファンクション門柱２とこれに並列した門扉吊持支持用の支柱３は、割型一対の連結目地材６、７を連結手段として、その前後面を含めてネジ９が露出することなくその連結を行なうとともにこれら支柱２、３間の内外の前後面にそれぞれ凹陥した凹陥目地５を形成することができ、その連結外観を良好なものとすることができる。また、本例にあって連結目地材６、７及び目地カバー材８を、支柱、即ち、ファンクション門柱２、門扉吊持支持用の支柱３と略同長として上端をこれら支柱２、３と合せたから、連結外観における一体性を高めて、凹陥目地５を配置した幅広の枠材による単一支柱を用いた如き外観を呈するものとすることができる。
【００２５】
図中１１は、上枠１とファンクション門柱２、門扉支持用の支柱３の固定部位を被覆するように上枠１の前後端に垂下して配置した垂下片、１２は、ファンクション門柱２を割型構成としたことによって、その側面に添設固定し、本例にあって上記割型一対の連結目地材６、７をネジ９止めした側面配置の地中埋込支柱材、１４は、上記ファンクション門柱２と門扉支持用の支柱３以外の垂下片１１長手方向にその下面の開口を一連に塞ぐように該垂下片１１にスナップイン係止乃至スライド係止して配置した上枠カバーを示す。
【００２６】
図示した例は以上のとおりとしたが、連結対象とする一対の支柱を、それぞれ単独に起立した、即ち上枠を用いない自立のファンクション門柱と門扉吊支持用の支柱とすること、連結目地材及び目地カバー材を、支柱と異長のものとすること、一対の平行突条を、割型一対の双方の連結目地材から突出して前後他方に開口した開口溝を形成したものとすること、連結目地材に対する目地カバー材の装着を、割型一対の連結目地材における一対の平行突条の先端と目地カバー材の目地片の裏面に配置した双方のスライド係止条の係止によって行うようにすること、基準とする支柱の両側に、割型一対の連結目地材と目地カバー材を２対用いて、上記門扉吊支持等の特定機能を有する支柱を連結するように用いること等を含めて、本発明の実施に当って、割型一対の連結目地材、目地カバー材、基壁、目地片、目地重合片、重合ネジ止め片、平行突条、開口溝、これらの関係、これらに対する付加等は、上記発明の要旨に反しない限り様々な形態のものとすることができる。
【符号の説明】
【００２７】
Ａ  玄関回りの屋外構築物
１  上枠
１１  垂下片
１２  地中埋込支柱材
１３ａ  支持金具
１３ｂ  支持金具
１４  上枠カバー
２  ファンクション門柱
３  門扉吊持支持用の支柱
５  凹陥目地
６  連結目地材
６１  基壁
６２  目地片
６３  重合ネジ止め片
６４  受入溝
６５  厚肉ネジ受部
７  連結目地材
７１  基壁
７２  目地重合片
７３  重合ネジ止め片
７４  平行突条
７５  スナップイン係止条
７６  開口溝
８  目地カバー材
８１  目地片
８２  脚条
８３  スナップイン係止条
９  ネジ
【図１】
2010189916.tif 000003
【図２】
2010189916.tif 000004
【図３】
2010189916.tif 000005
【図４】
2010189916.tif 000006
【図５】
2010189916.tif 000007
【図６】
2010189916.tif 000008